(57)【要約】【課題】電波暗室の出入口に設置された電波吸収衝立を開閉する際に、電波吸収衝立の衝立本体に取り付けられた電波吸収体を損傷することなく、短時間で容易に開閉できるようにした電波吸収衝立の開閉機構を提供する。【解決手段】電波吸収衝立６は、衝立本体７とその室内側に取り付けられた電波吸収体８とを有し、さらに電波暗室の床15を任意方向に走行可能な複数の走行車輪11を有する。電波吸収衝立６は、電波暗室の床15の出入口４幅方向の一端側近傍に立設された回転支持ピン13を軸に、出入口４と近接してほぼ平行に対向する位置から出入口４の邪魔にならない位置までおよびその反対方向に孤状に走行可能に設置する。【選択図】図１
2018096096.tif 000002
【特許請求の範囲】
【請求項１】
衝立本体と当該衝立本体の室内側に取り付けられた電波吸収体とを備え、電波暗室の開口部に設置される電波吸収衝立の開閉機構において、電波吸収衝立は、前記電波暗室の床を任意方向に走行可能な複数の走行車輪を備え、かつ前記電波暗室の床の前記開口部の近傍に立設された回転支持ピンを軸に、前記開口部と近接してほぼ平行に対向する位置から前記開口部の邪魔にならない位置まで孤状に走行可能とされていることを特徴とする電波吸収衝立の開閉機構。
【請求項２】
請求項１記載の電波吸収衝立の開閉機構において、前記電波吸収衝立の前記開口部幅方向の一端部または両端部に前記回転支持ピンが貫通するピン貫通孔が設けられ、かつ前記電波暗室の床の前記開口部幅方向の一端部または両端部の近傍に前記回転支持ピンが立設されるピン立込み孔が設けられていることを特徴とする電波吸収衝立の開閉機構。
【請求項３】
請求項１または２記載の電波吸収衝立の開閉機構において、前記電波吸収衝立の前記開口部幅方向の両端部にガイドローラが取り付けられ、かつ前記開口部の両側部に前記ガイドローラの室内外方向への走行をガイドする水平ガイドが取り付けられていることを特徴とする電波吸収衝立の開閉機構。
【請求項４】
請求項１〜３のいずれかひとつに記載の電波吸収衝立の開閉機構において、前記電波吸収衝立が前記開口部と近接してほぼ平行に対向する位置、電波吸収衝立が前記開口部の邪魔にならない位置および前記電波吸収衝立が前記開口部を閉塞する位置から前記二か所の間を走行するルートが前記電波暗室の床に表示されていることを特徴とする電波吸収衝立の開閉機構。
【発明の詳細な説明】
【技術分野】
【０００１】
本発明は、電波暗室の開口部に設置される電波吸収衝立の開閉機構に関し、電波吸収衝立を衝立本体の室内側に取り付けられた電波吸収体および前記開口部の周囲に取り付けられた電波吸収体を損傷することなく短時間で容易に開閉することができ、かつ開口部からの電磁波の漏洩を確実に遮断できるようにしたものである。
【背景技術】
【０００２】
電波暗室の開口部には、扉本体と当該扉本体の室内側に取り付けられた電波吸収体とからなる電磁シールド扉が取り付けられている。また、比較的小規模な電波暗室の電磁シールド扉は、扉の一端側を開口部の枠部に丁番を介して回転自在に軸支することにより、丁番を軸に回転して電波暗室の室外側に開閉するように取り付けられている。
【０００３】
ところで近年、電波暗室は大型化の傾向にあり、それに伴い電波暗室の開口部、開口部に設置される電磁シールド扉および扉に取り付けられる電波吸収体も大型化され、特に電波吸収体はポリエチレン発砲体などの軽量材から形成され、また、電波吸収体の扉本体からの出寸法(扉本体表面からの突出長)もシールド性能が高いほど長くなっている。
【０００４】
このため、電磁シールド扉を開け閉めする際、特に扉周縁部の電波吸収体が開口部の枠に接触して損傷し、電磁シールド扉のシールド性能が大きく損なわれることがあった。
【０００５】
また、電磁シールド扉が大型化するに伴い扉の重量も増すため、扉を開口部の枠部に丁番で取り付ける方法は、強度的に問題があるだけでなく、開閉に支障をきたすおそれがあった。
【０００６】
そこで、この問題を解決する方法として、電波暗室の開口部に、従来の電磁シールド扉に代えて電波吸収体の無い開き扉とその室内側に電波吸収体を備えた電波吸収衝立とを独立して設置する方式が採られることがあった。
【０００７】
特に、電波吸収衝立は、電波暗室の開口部を塞ぐ大きさの衝立本体の室内側に電波吸収体を備え、また下端部に電波暗室の床を自由に走行する走行車輪を備え、人力により押したり曳いたりして自由に移動できるように構成されている。
【０００８】
そして、電磁波測定機材や計測対象物品などの出し入れのために開口部を開ける際は、開口部から電波吸収衝立を室内側に引き出して邪魔にならない場所まで移動し、また、開口部を閉める際は、電波吸収衝立を開口部の近くまで移動し、開口部と近接してほぼ平行に対向する位置に置いた後、開口部に直交する方向に走行させて開口部に押し込む。
【０００９】
なお、電波暗室の扉の開閉に関連する先行技術文献としては、例えば特許文献１および２がある。
【００１０】
特許文献１には、閉じている扉本体の下部を油圧シリンダーを用いて外側へ押し出すことにより、扉の室内側に取付いている電波吸収体と電波暗室の前面壁とが干渉しない位置まで水平移動し、引続き巻上げ装置にて、扉の両端部に設置されたガイドフレームに沿って扉を垂直に上昇させて、開口部を解放し、また、扉を閉じる場合は、上記の逆操作を行う方法が開示されている。
【００１１】
このような装置により、電波暗室を含む建屋の設備スペースを削減すると共に、扉の前記開閉操作を連続して自動運転にて行えるので、作業性が向上するとしている。
【００１２】
また、特許文献２には、電波暗室の測定室への開口部を、測定室とは反対側に突出した相対する2面の壁と、これら両壁に亘る扉にて、3方を塞がれた搬入路を形成し、その3つの内壁面に電波吸収体を取付けてあり、残りの1面の測定室側に解放された開口部は、電波吸収体を有する移動体にて塞ぐように構成された電波暗室が開示されている。
【００１３】
そして、この移動体と前記搬入路の内壁面の電波吸収体の種類を変えておけば、前記測定室側に解放された開口部を、前記移動体にて閉塞した場合と解放した場合とで、適用する周波数領域を変えられ、しかも、その切替え作業は、前記移動体の移動のみなので、短時間で簡単に行えるとしている。また、前記移動体を移動制御する手段として、前記測定室側に解放された開口部と測定室内の適宜の場所との間でガイドレール等を設ける旨が記載されている。
【先行技術文献】
【特許文献】
【００１４】
【特許文献１】特開平8-4415号公報
【特許文献２】特開2008-153475号公報
【発明の概要】
【発明が解決しようとする課題】
【００１５】
しかし、電波暗室の開口部を電波吸収衝立によって電磁シールドする方法は、開閉時の電波吸収体を損傷する問題は解消できるものの、電波吸収衝立の走行車輪は方向自由に回転するため、意図する場所まで思うように移動制御しづらく、また、大型化するに従って衝立の自重が重くなるため、開閉に多大な時間と労力を必要とした。
【００１６】
また、この課題を解決する方法として、電波暗室の床に電波吸収衝立が走行するガイドレールを凸状または凹状に敷設する方法もあったが、室内での作業時に邪魔になる等の課題があった。
【００１７】
また、特許文献１に開示された方法は、油圧シリンダーや巻上げ装置他の装置を設備するため、大掛かりでコストもかかるという問題があり、また、電波吸収体は扉に取付いたままなので、その厚み相当分、もしくは巻上げ装置のフレームを設置する分の建築面積を必要とする。
【００１８】
特許文献２に開示された方法は、前記移動体を移動制御する手段としてガイドレール等を設けた場合、測定室内の床の一部ゾーンに一定長さの凹凸が存置されることになるので、測定室内の使用勝手の面では望ましとはいえない。
【００１９】
本発明は、以上の課題を解決するためになされたもので、電波吸収衝立を衝立本体の室内側に取り付けられた電波吸収体を損傷することなく短時間で容易に開閉することができ、かつ開口部からの電磁波の漏洩を確実に遮断できるようにした電波吸収衝立の開閉機構を提供することを目的とするものである。
【課題を解決するための手段】
【００２０】
本発明は、衝立本体と当該衝立本体の室内側に取り付けられた電波吸収体とを備え、電波暗室の開口部に設置される電波吸収衝立の開閉機構の発明であり、前記電波吸収衝立は、前記電波暗室の床を任意方向に走行可能な複数の走行車輪を備え、かつ前記電波暗室の床の前記開口部の近傍に立設された回転支持ピンを軸に、前記開口部と近接してほぼ平行に対向する位置から前記開口部の邪魔にならない位置まで孤状に走行可能とされていることを特徴とする。
【００２１】
前記電波吸収衝立の前記開口部幅方向の一端部または両端部に前記回転支持ピンが貫通するピン貫通孔を設け、かつ前記電波暗室の床の前記開口部幅方向の一端部または両端部の近傍に前記回転支持ピンを立設するためのピン立設孔を設けることにより、電波吸収衝立を前記開口部の左右いずれの側にも孤状に移動して開けることができる。
【００２２】
また、開口部と近接してほぼ平行に対向する位置に置かれた電波吸収衝立を開口部に直交する方向に押して開口部内に押し込むことにより開口部を完全に電磁シールドすることができ、その際、前記電波吸収衝立の前記開口部幅方向の両端部にガイドローラを、前記開口部の両側部に前記ガイドローラの室内外方向への走行をガイドする水平ガイドをそれぞれ取り付けることにより、電波吸収衝立を開口部内に容易に押し込むことができ、また、開口部内から容易に引き出すことができる。
【００２３】
さらに、前記電波吸収衝立が前記開口部と近接してほぼ平行に対向する位置、電波吸収衝立が前記開口部の邪魔にならない位置および前記電波吸収衝立が前記開口部を閉塞する位置から前記二か所の間を走行するルートを前記電波暗室の床に表示しておくことで、前記電波吸収衝立を床の表示に沿って移動することにより電波吸収衝立の開閉操作を容易に行うことができる。なお、床への表示はペンキ等で行うことができる。
【発明の効果】
【００２４】
本発明は、衝立本体の室内側に電波吸収体を有し、電波暗室の開口部に設置される電波吸収衝立が、前記電波暗室の床の前記開口部の近傍に立設された回転支持ピンを軸に、前記開口部と近接してほぼ平行に対向する位置から前記開口部の邪魔にならない位置まで孤状に走行可能とされていることにより、開閉時に特に電波吸収衝立の衝立本体の周縁部に取り付けられた電波吸収体を損傷することなく、きわめて容易にかつ短時間で開閉することができ、また、機構がきわめて簡単で安価に設置が可能であり、特に重量の大きな大型電波吸収衝立の開閉に適している。
【図面の簡単な説明】
【００２５】
【図１】本発明の一実施形態を図示したものであり、電波暗室の出入口を有する部分の平面図である。
【図２】図１におけるA-A線断面図である。
【図３】電波暗室の出入口に設置される電波吸収衝立を図示したものであり、図3(a)は正面図、図3(b)は図3(a)におけるB-B線断面図、図3(c)は図3(a)におけるC-C線断面図である。
【図４】電波暗室の出入口に電波吸収衝立を設置する方法を図示したものであり、図4(a)は正面図、図4(b)は図4(a)におけるD-D線断面図である。
【発明を実施するための形態】
【００２６】
図１〜図４は、本発明の一実施形態を図示したものであり、図１は電波暗室の開口部(以下「出入口」)を有する部分の平面図、図２は図１におけるA-A線断面図である。
【００２７】
また、図３(a),(b),(c)は、電波暗室の出入口に設置される電波吸収衝立を図示したものであり、図3(a)は正面図、図3(b)は図3(a)におけるB-B線断面図、図3(c)は図3(a)におけるC-C線断面図である。さらに、図4(a),(b)は、電波暗室の出入口に電波吸収衝立を設置する方法を図示したものであり、図4(a)は正面図、図4(b)は図4(a)におけるD-D線断面図である。
【００２８】
図において、電波暗室の外壁は内周壁1と外周壁2より二重壁に構成され、内周壁1の室内側には電波吸収体3が壁面全体に取り付けられている。
【００２９】
また、電波暗室には電磁測定機材や計測対象物品などを出し入れするための出入口４が設けられ、出入口４の室外側寄りには電磁シール扉５が取り付けられ、さらに出入口４の電磁シールド扉５の室内側には電波吸収衝立６が設置されている。
【００３０】
電磁シールド扉５は、出入口４の枠部に一端側を丁番などによって回転自在に軸支することにより室外側に開閉自在に取り付けられており、特に電波吸収体3は取り付けられてはいない。
【００３１】
電波吸収衝立６は、電磁シールド扉５と同様に出入口４の全面を塞ぐ大きさに形成された衝立本体７と衝立本体７の室内側の全面に取り付けられた電波吸収体８とを備え、また下端部に台座９を備えている。なお、電波吸収体３および８はポリエチレン発砲体などの軽量材より形成されている。
【００３２】
台座９は、台座本体10に複数の走行車輪11とガイドローラ12を備え、台座本体10は出入口４の幅方向に衝立本体７とほぼ同等の長さに形成されている。また、台座本体10の長辺方向(出入口４の幅方向)の一端部または両端部に後述する回転支持ピン13が貫通するピン貫通孔14が鉛直に設けられている。
【００３３】
走行車輪11は、電波暗室の床15の上を任意方向に自由に走行できる自在車輪であり、台座本体10の長辺方向の両端部と中間部にそれぞれ台座本体10の短辺方向(幅方向)に間隔をおいて複数個ずつ取り付けられている。
【００３４】
また、ガイドローラ12,12は、後述する水平ガイド16,16にガイドされて出入口４の室内外方向に走行する自在車輪または固定車輪である。当該ガイドローラ12としては、自在車輪または固定車輪のいずれでもよいが、自在車輪の方が回転自由なので水平ガイド16,16の側面に接触した時の抵抗が少なく好ましい。
【００３５】
水平ガイド16,16は、出入口４の内側両側部における、電波暗室の床15の上に出入口４の室内外方向に敷設され、かつ当該水平ガイド16,16の室内側小口部に一定長のテーパ16a,16aがそれぞれ設けられている。
【００３６】
また、水平ガイド16,16は、電波暗室の有効床面内に現れないように電波吸収体８の出寸法とほぼ同等の長さに形成され、また、電磁計測に影響を及ぼさないような素材(例えば木材)より形成されている。
【００３７】
このような構成において、電波吸収衝立６は自立することができ、また押したり曳いたりして、人力により電波暗室の床15の上を走行させて電波暗室内を任意の方向に自由移動することができる。
【００３８】
なお、電波吸収衝立６の室内側には電波吸収衝立６を押したり曳いたりして移動するための操作用ハンドル17が取り付けられている。当該操作用ハンドル17は、木材などの電磁波の測定に支障を来さないような素材から形成され、かつ電波吸収衝立６の所定高さに水平に取り付けられている。
【００３９】
また特に、図１に図示するように、電波暗室の床15の出入口４の一端側近傍に形成されたピン立設孔15aにピン貫通孔14を貫通して回転支持ピン13を挿通できる、出入口４と近接してほぼ平行に対向する位置(図１において電波吸収衝立6Aの位置)まで、すなわち電波吸収衝立６を出入口４側に押してわずかに走行させるだけで出入口４内に押し込むことができる位置まで、床15の上を直線的に走行させることができ、また、その位置から出入口４の邪魔にならない位置(図１において電波吸収衝立6Bの位置)まで床15の上を孤状にほぼ180度走行させることができる。
【００４０】
なお、電波吸収衝立６が出入口４と近接してほぼ平行に対向する位置(図１において電波吸収衝立6Aの位置)、電波吸収衝立６が出入口４の邪魔にならない位置(図１において電波吸収衝立6Bの位置)、および電波吸収衝立６が前記出入口４を閉塞する位置から前記二か所の間を走行するルートを電波暗室の床にペンキ等で表示(図省略)することにより、表示が電波吸収衝立６を移動する際の目印になって電波吸収衝立６の移動作業をより効率的に行うことができる。
【００４１】
さらに、電波吸収衝立６が出入口４と近接してほぼ平行対向する位置において、床15のピン立設孔15aから支持ピン13を抜き、電波吸収衝立６を出入口４側に押して出入口４側に直線的に走行させ、出入口４内に押し込むことにより出入口４を電波吸収衝立６によって完全に電磁シールドすることができる。  
【００４２】
また、出入口４内に押込まれた電波吸収衝立６は、電波暗室の室内側に引張って出入口４から容易に引き出すことができる。
【００４３】
その際、電波吸収衝立６の両端部にガイドローラ12,12が取り付けられ、かつ出入口４の両側部にガイドローラ12,12の室内外方向への走行をガイドする水平ガイド12,12が取り付けられていることにより、電波吸収衝立６を出入口４内にスムーズに押し込むことができ、また出入口４よりスムーズに引き出すことができる。
【００４４】
なお、出入口４の邪魔にならない位置(図１において電波吸収衝立6Bの位置)まで移動した電波吸収衝立６は、床15のピン立設孔15aより支持ピン13を抜き取り、さらに出入口４より離れた電波暗室内の片隅などに存置しておくこともできる。
【産業上の利用可能性】
【００４５】
本発明は、電波暗室の開口部に設置される電波吸収衝立を、衝立本体の室内側に取り付けられた電波吸収体を損傷することなく短時間で容易に開閉することができ、特に、近年大型化してきている電波暗室の大きな電磁シールド扉に対応する電波吸収衝立に適用することにより大きい効果が期待できる。
【符号の説明】
【００４６】
１  電波暗室の内周壁
２  電波暗室の外周壁
３  電波吸収体
４  出入口(開口部)
５  電磁シールド扉
６  電波吸収衝立
７  衝立本体
８  電波吸収体
９  台座
10  台座本体
11  走行車輪
12  ガイドローラ
13  回転支持ピン
14  ピン貫通孔
15  電波暗室の床
16  水平ガイド
17  操作用ハンドル
【図１】
2018096096.tif 000003
【図２】
2018096096.tif 000004
【図３】
2018096096.tif 000005
【図４】
2018096096.tif 000006